(57)【特許請求の範囲】
【請求項１】
水力エネルギーを電気エネルギーに変換するための設備（Ｉ）であって、
該設備は、水力タービン（１）と、前記タービンへ水（Ｅ）の強制流を供給するための供給ダクト（５）と、前記タービンから出る前記流れを排出するための排出ダクト（８）と、前記排出ダクトを通る前記流れを誘導するためのガイドフィン（２０）とを備え、
各ガイドフィン（２０）が前記排出ダクトの壁（８４）に交差する軸（Ｘ２２）周りに回転枢動するよう取り付けられ、
該設備には前記フィンのその枢動軸周りの角度位置（α）を制御するための手段（１０，３０）が設けられ、
各枢動可能な移動フィン（２０）は、前記排出ダクト（８）の前記壁（８４）に引込められ、
前記設備には前記フィン（２０）が前記壁に引込められる程度を調整することに適した手段（２１）が設けられていることを特徴とする設備。
【請求項２】
前記制御手段（１０，３０）が少なくとも１つの前記流れ（Ｅ）を表すパラメータ（Ｑ，ω，Ｈ，Ｐ）に応じて、前記ガイドフィン（２０）の前記角度位置（α）を設定することに適していることを特徴とする請求項１に記載の設備。
【請求項３】
前記１つのまたは各枢動可能な移動フィン（２０）が前記ダクトの内側より前記排出ダクト（８）の前記壁（８４）から取り外し可能であることを特徴とする請求項１または２に記載の設備。
【請求項４】
前記排出ダクト（８）の前記壁（８４）の外側面（８４１）へのアクセスを提供する通路（１００）がさらに設けられ、かつ前記１つのまたは各フィン（２０）が前記通路より前記壁から取り外し可能であることを特徴とする請求項１または請求項２に記載の設備。
【請求項５】
各フィン（２０）が、前記壁に固定された部分（２７）に対して前記フィンの前記枢動軸（Ｘ２２）に平行に摺動するよう取り付けられたピストン（２１）に固定され、
前記フィンおよび前記ピストンを備えるサブアセンブリ（２０〜２５）が前記フィンの前記枢動軸周りに回転枢動可能に取り付けられ、
前記サブアセンブリが、前記フィンの前記枢動軸（Ｘ２２）周りに回転するよう該サブアセンブリを駆動するための駆動手段（２９，３０）と協働するための手段（２４３）をさらに備えることを特徴とする請求項１〜４のいずれか一項に記載の設備。
【請求項６】
各移動フィン（２０）がその枢動軸（Ｘ２２）の両側に延在することを特徴とする請求項１〜５のいずれか一項に記載の設備。
【請求項７】
水力エネルギーを電気エネルギーに変換するための設備（Ｉ）の制御方法であって、
該設備は、水力タービン（１）と、前記タービンへ水（Ｅ）の強制流を供給するための供給ダクト（５）と、前記タービンから出る前記流れを排出するための排出ダクト（８）と、前記排出ダクトを通る前記流れを誘導するためのガイドフィン（２０）とを備え、
前記排出ダクトを通る前記流れ（Ｅ）を誘導するために、前記排出ダクト（８）の前記壁（８４）に交差する軸（Ｘ２２）周りに各ガイドフィン（２０）の前記角度位置（α）を制御する（Ｓ３）ステップと、
各移動フィン（２０）が前記排出ダクト（８）の前記壁（８４）に引込められる程度を制御するステップと、
を備えることを特徴とする方法。
【請求項８】
前記フィン（２０）の前記角度位置が少なくとも１つの前記流れ（Ｅ）を表すパラメータ（Ｑ，ω，Ｈ，Ｐ）に応じて、特に前記流れ（Ｅ）の流速（Ｑ）に応じて制御されることを特徴とする請求項７に記載の方法。
【請求項９】
前記設備には前記排出管（８）の前記壁（８４）に分配された複数のフィン（２０）が設けられ、かつ前記フィンの前記位置は、グループ化された方法にて制御されることを特徴とする請求項７または請求項８に記載の方法。
【請求項１０】
前記設備には前記排出管（８）の前記壁（８４）に分配された複数のフィン（２０）が設けられ、かつ前記フィンの前記位置は、個別に制御可能であることを特徴とする請求項７または請求項８に記載の方法。
【請求項１１】
サブアセンブリ（２０〜２５）の一部である本体（２２）に設けられ、かつ前記フィンに固定されたピストン（２１）によって形成された室（Ｃ２２）に、前記供給ダクト（５）からくる加圧水を供給する、または供給しないことにより、各移動フィン（２０）が前記排出ダクトの前記壁（８４）に引込められる程度が制御されることを特徴とする請求項７〜１０のいずれか一項に記載の方法。
【発明の詳細な説明】
【技術分野】
【０００１】
本発明は、水力エネルギーを電気または機械的なエネルギーに変換するための設備に関連し、このような設備は、水力タービン、水の強制流をタービンに供給するための供給ダクト、およびタービンから出る前記の流れを排出するための排出ダクトを含む。
【背景技術】
【０００２】
既知の設備においては、ホイールまたはタービンの「ランナ」からの下流の流れは、タービンの動作点に応じて変動し、この動作点はとりわけタービンへ供給される水の流速に依存する。ある動作点において、概して「ロープ状渦（ｖｏｒｔｅｘ  ｒｏｐｅ）」と呼ばれる渦または渦巻く乱流が、圧力および／または電力を変動させる傾向があり、かつその原因となる。
【０００３】
この課題に関して、フランシスタービンのホイールにホイールの回転軸に向かってそれぞれ収束および分岐する２つの面を有する先端が装備され、それにより著しく乱流を制限することが例えば特許文献１から知られている。しかし、ある流動状態においては乱流が残る。
【０００４】
効率損失を軽減するために、特許文献２においては、格納式のフィンを設けることが提案されている。これらの格納式フィンは、タービンの動作点すべてに適合されておらず、かつある運転条件においては設備の効率に対するそれらの効果は非常に悪い。
【０００５】
タービンから出る流れを排出するために、移動式のフィンを排出ダクト内の固定式のフィンの上に回転枢動するよう取り付けることができることが特許文献３から知られている。固定式のフィンは少なくともある流動状態においては流れを妨げる。
【０００６】
さらに、既知の設備にはキャビテーションの課題が発生する。
【先行技術文献】
【特許文献】
【０００７】
【特許文献１】国際公開第２００５／０３８２４３号パンフレット
【特許文献２】米国特許出願公開第２００７／０００９３５２号明細書
【特許文献３】特開昭５７−１０８４６８号公報
【発明の概要】
【発明が解決しようとする課題】
【０００８】
本発明の目的は、より具体的には、様々な動作点において設備の効率を下げることなく排出ダクトを通過する流れを安定化させることが可能な上記タイプのエネルギー変換設備を提案することにより、これらの不都合を改善することである。
【課題を解決するための手段】
【０００９】
この目的を達成するために、本発明は、排出ダクトの壁に交差する軸まわりに回転枢動するよう各ガイドフィンが取り付けられた上記タイプの設備を提供することであり、設備には枢動軸周りにフィンの角度位置制御するための手段が設けられ、それぞれ枢動可能な移動フィンが排出ダクトの壁に引込められ、かつ設備にはフィンが壁に引込められる程度を調整するために適した手段が設けられる。
【００１０】
本発明によって、タービンから出る流れの任意の渦巻き成分の方向を考慮して、排出ダクトまたはドラフトダクトの壁に対して突出させることによりガイドフィンの角度調整を適合させることが可能である。
【００１１】
任意の技術的に実現可能な組み合わせを取り入れた本発明の好都合な、しかし必須ではない態様において、このような設備は、１つまたは複数の以下の特徴を組み込むことができる。
・制御手段は、流れを表す少なくとも１つのパラメータに応じてガイドフィンの角度位置を設定することに適している；
・１つのまたは各枢動可能な移動フィンは、前記ダクトの内側より排出ダクトの壁から取り外し可能である；変形例においては、設備にはさらに排出ダクトの壁の外面へのアクセスを与える通路が設けられ、および１つまたは各フィンは前記通路より前記壁から取り外し可能である；
・各フィンは、壁に対して固定された部分に対してフィンの枢動軸に平行に滑るように取り付けられたピストンに固定され、フィンおよびピストンを備えるサブアセンブリは、フィンの枢動軸周りに回転枢動可能に取り付けられ、かつサブアセンブリをフィンの枢動軸周りに回転駆動するために、前記サブアセンブリは駆動手段と協働するための手段をさらに備える；
・各移動フィンは、枢動軸の両側に延在する；および
・設備には複数の枢動可能な移動ガイドフィンが設けられ、各フィンは排出ダクトの壁に交差する軸周りに枢動するよう取り付けられ、かつ制御手段は、グループ化された方法にてガイドフィンに作用し；変形例において、制御手段は、個別化された方法にてガイドフィンに作用する。
【００１２】
本発明はまた上述の設備によって実行可能な方法、および、より具体的には水力エネルギーを電気または機械的なエネルギーに変換するために設備を制御する方法を提供し、設備は、水力タービン、水の強制流をタービンへ供給するための供給ダクト、タービンから出る流れを排出するための排出ダクト、および排出ダクトを通る流れを誘導するための少なくとも１つのガイドフィンを備え、前記方法は、排出ダクトを通る流れを誘導するための各ガイドフィンの角度位置を排出ダクトの壁に交差する軸周りに制御するステップ、および各移動フィンが排出ダクトの壁に引込められる程度を制御するステップを備えることを特徴とする。
【００１３】
この方法は好都合なおよび選択的な１つまたは複数の以下の特徴を組み込むことができる：
・少なくとも１つの流れを表すパラメータ、特に流れの流速に応じてフィンの角度位置が制御される；
・設備には排出管の壁に分配された複数のフィンが設けられ、かつフィンの位置はグループ化された方法によって制御される。変形例においては、各フィンの位置は個別に制御可能である；および
・サブアセンブリの一部である本体に設けられ、かつフィンに固定されたピストンによって形成された室へ、供給ダクトから流れる加圧水を供給する、または供給しないことにより、各移動フィンが排出ダクトの壁に引込められる程度が制御される。
【００１４】
本発明およびその制御方法の原理に適合する設備の２つの実施形態についての以下の記述によって、本発明はより理解され、かつ本発明の他の好都合点がより明確に示されるだろう。記述は、単に一例を記載したものであり、添付の図面を参照してなされる。
【図面の簡単な説明】
【００１５】
【図１】本発明の設備の第１実施形態の原理を示す軸断面の線図である。
【図２】図１の詳細ＩＩを拡大した図である。
【図３】図１の設備に使用される第１構成における速度分布を示した展開線図である。
【図４】図２の矢印Ｆ１によって示される方向から見た、図３の速度分布に対応する位置での枢動可能な移動フィンの端面図である。
【図５】他の条件下において設備が運転されている間の図３に類似の線図である。
【図６】図５に示す条件下において設備が運転されている間の図４に類似の線図である
【図７】本発明の設備の第２実施形態による図２に類似の図である。
【発明を実施するための形態】
【００１６】
図１〜図６に示す設備Ｉは、貯水槽（図示せず）からくる水Ｅの強制流によって垂直軸Ｘ２周りに回転するよう設計されたホイールまたは「ランナ」２を有するフランシスタイプのタービン１を含む。ホイール２と共に回転するよう取り付けられた軸３は、ホイール２の回転によって回路網またはグリッド（図示せず）へＡＣ電流を供給するオルタネータ４に連結される。したがって設備Ｉは、流れＥからの水力エネルギーを電気エネルギーに変換することができる。設備Ｉは、貯水槽から供給される複数のタービン１を含むことができる。
【００１７】
変形例において、機械的なアセンブリに軸３は連結されることができ、この場合、設備Ｉは流れＥからの水力エネルギーを機械的なエネルギーに変換する。
【００１８】
供給ダクト５は、流れＥをホイール２へ運びかつ、貯水槽と流れＥを調整する案内羽根６１が装備されたケース６との間に延在する。
【００１９】
流れＥを排出し、かつ貯水された水が供給される川チャネルに戻るように、ダクト８はタービン１の下流に設けられる。この排出ダクト８は「ドラフトチューブ」または「ドラフトダクト」と呼ばれる場合がある。
【００２０】
特にオルタネータ４から供給される回路網の電力需要、および流れＥに利用可能な水の流速によって、タービン１を制御するための制御装置１０が設けられる。装置１０は、設備Ｉの複数の動作点を定義すること、および制御信号Ｓ１およびＳ２をそれぞれオルタネータ４および案内羽根６１へ送信することが可能である。
【００２１】
ダクト８は、実質的に垂直の切頭円錐台、およびホイール２の回転軸Ｘ２を中心とする上流部分８１を有する。ダクト８はまた実質的に水平な軸Ｘ８２を中心とする下流部分８２を有する。軸Ｘ８２は、水平面との角度が２０°より小さく形成され、実質的に水平である。実際には、軸Ｘ８２は流れＥの方向に上方にわずかに傾斜することができる。９０°曲管８３は、ダクト８の部分８１および８２を相互接続する。
【００２２】
ホイール２を通過した後に流れＥを安定させるために、ダクト８の上流部分８１には上流部分８１の壁８４から軸Ｘ２に向かって突出する複数のフィン２０が設けられる。前記フィン２０は、ホイール２から出て、壁８４に沿って流れる流れＥの一部がさっと通るよう設計される。したがって前記フィンは、排出またはドラフトダクト８を通る流れＥの影響を受ける。
【００２３】
軸Ｘ２を含む垂直面での断面図である図１は、２つのフィン２０を示す。実際にはフィン２０の数は、部分８１の直径および流れＥの流速に応じて選択される。図２により具体的に示されるように、各フィン２０は、円筒本体２２に取り付けられたピストン２１に固定され、円筒本体２２は、壁８４に垂直の軸Ｘ２２を中心とする円形の基底を有する。ピストン２１には封止２１１および２１２が装備され、かつ軸Ｘ２２に沿って相対的に摺動可能な、円盤形状の板２４を貫通する棒２３と一体である。室Ｃ２２および外部の間の流体の流れを防ぐために、板２４には封止２１１および２１２と協働する封止２４１および２４２が装備され、室Ｃ２２は板２４およびピストン２１の間、かつ棒２３周りに、本体２２の内側に半径方向に設けられている。
【００２４】
図４に示されるように、各フィン２０は対応する軸Ｘ２２の両側に延在する。実際には、各フィン２０は軸Ｘ２２を中心とする。
【００２５】
板２４は図２の軸ラインによって表されるネジ２５によって本体２２に固定される。
【００２６】
室Ｃ２２にはダクト５から来る水がパイプ（図示せず）を介して供給される。これによって室Ｃ２２に圧力をかけることができ、それにより図の矢印Ｆ２によって示される方向にピストン２１を押し込み、かつフィン２０を軸Ｘ２に向かって壁８４に対して突出させる。
【００２７】
部品２０〜２５によって形成されたサブアセンブリが、軸Ｘ２２周りに回転枢動するよう壁８４に対して固定された環２７内に固定保持されたスリーブ２６内に取り付けられる。上述のサブアセンブリがスリーブ２６に対して回転枢動可能となるように、軸受形状の封止を本体２２周りおよび板２４周りに半径方向に任意に設置することができる。
【００２８】
スリーブ２６に対して軸Ｘ２２に沿って軸方向に突出した部分において、環２４には、電気サーボモーター３０の出力軸３０１によって駆動される歯車の歯２９とかみ合う、半径方向外側の一連の歯２４３が設けられている。このモーターは、装置１０による電子信号Ｓ３によって制御される。
【００２９】
したがってサーボモーター３０は、部品２０〜２５で構成されているサブアセンブリを装置１０から受信した制御信号Ｓ３に応じて軸Ｘ２２周りに回転駆動することができる。
【００３０】
この回転駆動により軸Ｘ２２周りのフィン２０の角度位置を変化させることができる。したがって各フィン２０は、軸Ｘ２２周りに角度調整可能である。図４および図６に示すように、フィン２０は平板の形で、かつその角度位置は、フィン２０の大きい側面２０１および２０２の中間の中央平面Ｐ２０と、軸Ｘ２２を含む垂直平面Ｐ２２との間で軸Ｘ２２の上から測定される角度αによって指定されことができる。
【００３１】
モーター３０により、ダクト８を通る流れＥの状態に適するように、各移動フィン２０の軸Ｘ２２周りの角度位置を適合させることができる。
【００３２】
図３は、ホイール２のベルトまたは「バンド」を示す展開図であり、ホイール２のブレード２Ｂの後縁２Ａ近くの速度分布を示す。角速度ωにて回転するホイール２について考えると、Ｒが縁２Ａおよび軸Ｘ２の間の半径方向の距離または半径とすると、後縁２Ａの接線速度Ｕは、ω×Ｒに等しい。
【００３３】
さらにホイール２から出る水の流れの速度Ｗについて考えると、前記速度Ｗは、ブレード２Ｂと一直線になる。この速度Ｗは、軸Ｘ２に平行な成分である垂直成分ＷＶおよび接線成分ＷＴに分けられる。
【００３４】
図３に示すように低流速Ｑの流れＥを有する構成において、速度ＷＶの垂直成分は比較的小さく、および垂直に対する速度Ｗの傾斜角度βは、ブレード２Ｂの幾何学的形状によって規定されるため、速度の接線成分ＷＴは、ブレードの接線速度の絶対値｜Ｕ｜より小さい絶対値｜ＷＴ｜を有する。これらの条件下において、ホイール２から放出される縁２Ａ近くの水は、ブレードの接線速度Ｕと同じ方向、すなわち図３の右方向に向く接線速度成分を有する。この図の平面における水の流れは、矢印Ｅによって表される。
【００３５】
この状況において、ホイールから出る水は、軸Ｘ２周りにホイール２の回転と同じ方向に回転する。
【００３６】
これはフィンが正確に配置される場合、フィン２０によって是正可能な大きな圧力変動を伴う乱流ロープ状渦の形成をダクト８に引き起こす。
【００３７】
流れＥが高流速Ｑを有する場合、速度Ｗの垂直成分ＷＶは、大きい絶対値を有し、および角度βがブレード２Ｂの幾何学的形状によって規定されるため、接線成分ＶＴは接線速度Ｕの絶対値より大きい絶対値を有する。図５に示されるこの状況において、流れＥは図５の左に向かって排出され、この図の矢印Ｅによって表される。この状況において、前記流れがそこから放出される場合、流れはホイール２の回転方向に対して反対の方向に回転する。この状況においても、大きな圧力変動を伴う乱流ロープ状渦は生成され、これはフィン２０によって是正可能である。
【００３８】
したがって流速Ｑの値によって、ドラフトダクト８を通る流れＥの軸Ｘ２周りの回転方向は変化する。以下の方法にて、フィン２０の角度位置により流れＥのこの渦巻きに影響を与えることができる：
ｉ）低流速Ｑにおいては、効率が落ちることを考慮せずに圧力変動を減らすことのみが目的の動作点の場合、ドラフトダクト８を通る水の渦の流れを可能なかぎり遅い速度に落とすために、各フィン２０は図４に示す正の角αで枢動させられる。
ｉｉ）また低流速Ｑにおいて、動作点が状況ｉ）よりも低い水準ではあるがなおも圧力変動を有する場合、圧力変動もわずかに減少させつつ設備の効率に対してはより小さいマイナスの影響を与えるために、フィン２０は図４に示す負の角度αの角度を持って配置されることができる。
ｉｉｉ）高流速Ｑの状況においては、ドラフトダクト内の流れの渦巻き方向が逆転するため、上記２つの動作点はまた逆になる。
【００３９】
この目的を達成するために、フィン２０によって垂直方向と形成される角度αは所望の効果を得るために調整されることができる。フィンが流れと実質的に平行な方向に角度を持って配置される場合、効率に対する影響は小さい。逆に動作点について著しく圧力変動を減らす必要がある場合、流れと反対になるようにフィンを枢動させることが可能である。圧力変動の減少は効率に対して比較的大きいマイナス効果を有するが、このマイナス効果は問題の動作点についてのみ存在し、軸Ｘ２２周りのフィン２０の角度調整の角αは他の動作点に対して異なるように再び調整されることが可能である、
【００４０】
したがって各フィン２０の角度調整の角αは、圧力変動および効率の間で最良の妥協点を得るような方法にて調整される。
【００４１】
流れＥの流速およびホイール２の回転速度について接線速度の絶対値｜ＷＴ｜および｜Ｕ｜が等しい、すなわち流れＥが実質的に垂直にホイール２から出る場合、それぞれの中央平面Ｐ２０が垂直、すなわち角αがゼロの値になるようにフィン２０は設置される。
【００４２】
設備Ｉの効率および圧力変動の水準に対する調整の影響を「帰納的に」検証することにより、枢動軸Ｘ２２周りのフィン２０の角度調整は、経験的に調整されることができる。
【００４３】
好都合に装置１０は、ダクト５に取り付けられた流速センサ１２によって送られる信号Ｓ４に応じて、角度調整可能なフィン２０を自動的に制御する。この流速センサは、例えば差圧センサに基づく任意の適したタイプのセンサとすることができる。第１近似として、およびホイール２が実質的に一定の速度にて回転することを考慮すると、機械に同期オルタネータが装備されている場合、装置１０において流れＥの流速Ｑに基づいて接線速度ＷＴおよびＵを計算することが可能であり、かつこの計算に基づいてホイールの回転方向に対する流れＥの出口方向、すなわち同じ方向または反対方向かを決定することができる。従って装置１０は、流れＥを安定させるためにフィン２０に与えられるそれぞれの軸Ｘ２２周りの角度調整の決定が可能である。
【００４４】
変形例において、または追加で軸３に回転速度計１４を据え付けることが可能であり、かつ軸３の回転速度を表す信号Ｓ５を装置１０へ送ることができ、それにより接線速度Ｕの値を正確に決定することができる。ドラフトチューブ８内の流れＥを安定させるために各フィン２０に与えられる傾斜角度αを決定するために、この信号Ｓ５は装置１０によって統合されることができる。
【００４５】
各スリーブ２６は環２７にネジで締められ、サブアセンブリ２０〜２５の１つに整備作業をする必要がある場合に、ダクト８の上流部分８１から前記サブアセンブリの構成品要素にアクセスするために、環２７から対応するスリーブ２６のネジをはずすことができる。図２のみに示されるように、フィンを支え、かつ位置調整するための要素は、設備のコンクリート構造に壁８４の半径方向外側に設けられたくぼみ９０に設置される。
【００４６】
図７に示すように変形例において、壁８４の外側面８４１へのアクセスを提供する通路（ｇａｌｌｅｒｙ）１００をダクト８の部分８１あたりに半径方向に設けることができ、それによりフィン２０およびそれらの駆動部材の整備作業を前記通路から行うことができる。スリーブ２６の形および環２７の形は適合される。
【００４７】
この図７において、第１実施形態の要素に類似の要素には同じ参照番号が付けられ、フィン２０は、ネジ２５によって本体２２に固定された板２４を摺動する棒２３によって拡張されるピストン２１に固定されている。スリーブ２６は、部品２０〜２５によって形成されたサブアセンブリを囲み、かつ通路１００から環２７にネジ留めされている。第１実施形態で説明したように、サーボモーター３０は、板２４の歯２４３の外側のセットとかみ合う歯車の歯２９を駆動し、それにより壁８４に垂直の軸Ｘ２２周りのフィン２０の角度調整を制御することができる。
【００４８】
両方の実施形態において、室Ｃ２２に供給される供給圧力により、軸Ｘ２２に沿ったピストン２１およびフィン２０の位置を制御することができる。特にダクト８を通る流れが安定している場合、室Ｃ２２に加圧された水を供給しないことが可能であり、ダクト８に面するピストン２１の面２１３に対する水の圧力によりフィン２０はダクト８の外側に引込められるまたは壁８４に対して押し込まれる。
【００４９】
変形例において、回転軸Ｘ２２に沿った各フィンの位置は圧力室に水を供給する以外の手段によって制御されることができる。例えばこの目的のために、電気サーボモーターまたは水力、機械、または電気の駆動部を使用することができる。
【００５０】
したがって上述のピストン２１、上述のサーボモーターまたは上述の駆動部により、フィンの角度調整に関して上述したように流れＥを表す上述のパラメータを考慮しながら各フィン２０の壁８４への引き込みを制御することができる。
【００５１】
上述の本発明は、フィン２０の枢動軸Ｘ２２が壁８４に垂直な状態で図に示されている。これは必須ではなく、壁８４に対して固定された軸Ｘ２２が前記壁に交差すれば十分である。実際には、軸Ｘ２２は壁８４に垂直ではなく、前記壁と形成する鋭角は、４５°より大きく、好ましくは７５°より大きく、さらに好ましくは８５°より大きく選択される。
【００５２】
本発明は、各フィン２０に関連したサーボモーターを有し、それにより個々のフィンが制御可能な２つの実施形態によって示された。フィンの動きは、装置１０および様々なモーター３０に対する様々な信号Ｓ３を管理することによって同期される。
【００５３】
変形例において、フィン２０に相互接続する機械的な手段を使用することができ、それによりフィンをグループ化した方法にて制御することができる。例えばチェーンまたは例えば案内羽根６１を制御するために知られるガイドリングを使用することが可能である。
【００５４】
個別またはグループ化制御によるフィン２０の枢動のために他の装置を考慮することもできる。実際にはフィンは、適するアクチュエータ、例えば連接棒に関連した回転または線形アクチュエータによって枢動されることができる。オイル、電流、圧縮空気、または水によってアクチュエータを作動することができる。前記アクチュエータの動作環境を考慮すると、水駆動アクチュエータを使用する解決法が好ましい。
【００５５】
本発明は、フランシスタイプのタービンに適用されるよう示された。しかし、またカプランタービンおよびプロペラタイプのタービンなどの他のタイプのタービン、およびポンプタービンに適用できる。
【００５６】
本発明においては、フィンのすべてが角度調整可能、すなわち排出ダクトの壁に特に垂直に横切る軸周りに回転枢動するよう取り付けられることが示されている。変形例においては、特定のフィンのみが角度調整可能である。
【００５７】
本発明の図示されていない変形例において、本発明は、ホイールより下流の流れの案内を改善するための先端、例えば特許文献１から知られる先端がタービンのホイールに装備されて実行されることができる。
【００５８】
本発明においては、流れＥの流速がフィン２０の角度調整を決定するために使用されることが上記に説明された。しかし、他のパラメータ、特に設備を横切る落差Ｈ、設備によって供給される電力Ｐ、またはホイール２の回転速度ωをこの目的のために考慮に入れることができる。
【００５９】
変形例においては、フィン２０は平面形以外の形を有することができる。
【符号の説明】
【００６０】
１  タービン
２  ホイール
２Ａ  後縁
２Ｂ  ブレード
３  軸
４  オルタネータ
５  供給ダクト
６  ケース
８  排出ダクト
１０  制御装置
２０  フィン
２１  ピストン
２２  円筒本体
２３  棒
２４  板
２５  ネジ
２６  スリーブ
２７  環
２９  歯車の歯
３０  電気サーボモーター
６１  案内羽根
８１  上流部分
８２  下流部分
８３  曲管
８４  壁
１００  通路
２４３  歯
３０１  出力軸
Ｉ  設備
Ｃ２２  室
Ｅ  流れ
Ｓ１  制御信号
Ｓ２  制御信号
Ｓ３  制御信号
Ｘ２２  軸
【図１】
0005453457.tif 000002
【図２】
0005453457.tif 000003
【図３】
0005453457.tif 000004
【図４】
0005453457.tif 000005
【図５】
0005453457.tif 000006
【図６】
0005453457.tif 000007
【図７】
0005453457.tif 000008